(57)【要約】【課題】保形性を長期に保持すること。【解決手段】保形基底部位２と、保形基底部位２から立ち上がりブラのカップ部位２２に対応するカップ対応保形曲面形成部位３とから構成されている。カップ対応保形曲面形成部位３は、剛体ではなく弾力性があり、ある程度の変形性は有しているが、変形しながら保形基底部位２により保形性を持続的に有し、ブラ特にブラのカップ部位２２の保形性を維持することができる。保形性の維持は、本来の性質の維持にとどまらず、繊維の乱れ、縫い目の荒れを防止することができる。ブラは、洗濯時だけでなく、生産時から廃棄時までの全期間でその保形性を保持することができる。【選択図】　　　　　図１
2004060100.tif 000002
【特許請求の範囲】
【請求項１】
保形基底部位と、
保形基底部位から立ち上がりブラのカップ部位に対応するカップ対応保形曲面形成部位
とを具えるブラジャー保形器。
【請求項２】
前記保形基底部位は、前記カップ対応保形曲面形成部位に一体に成形されている
請求項１のブラジャー保形器。
【請求項３】
前記保形基底部位は、前記カップ対応保形曲面形成部位の外側縁に一体に形成されている
請求項１のブラジャー保形器。
【請求項４】
前記カップ対応保形曲面形成部位には、多数の水流通口が形成されている
請求項１〜３から選択される１請求項のブラジャー保形器。
【請求項５】
前記カップ対応保形曲面形成部位は、
両側のトップが向き合う方向に延びる第１帯状部分と、
前記第１帯状部分と前記保形基底部位の上側部位との間を結合する第２帯状部分とを備え、
前記第１帯状部分と前記保形基底部位との間は隙間であり、前記第２帯状部分と前記保形基底部位との間は隙間である
請求項１〜４から選択される１請求項のブラジャー保形器。
【請求項６】
重ね合わせられ得る
請求項１〜５から選択される１請求項のブラジャー保形器。
【請求項７】
前記保形基底部位は閉じた輪である
請求項１のブラジャー保形器。
【請求項８】
０．３ｍｍ以下の厚みで薄膜化されて一体成形されている
請求項１のブラジャー保形器。
【請求項９】
洗濯水に対して耐性がある材料で形成されている
請求項１〜８から洗濯される１請求項のブラジャー保形器。
【請求項１０】
第１ブラジャー保形器と第２ブラジャー保形器との集合であり、
前記第１ブラジャー保形器は、
第１保形基底部位と、
前記第１保形基底部位から立ち上がりブラのカップ部位に対応する第１カップ対応保形曲面形成部位とを備え、
前記第２ブラジャー保形器は、
第２保形基底部位と、
前記第２保形基底部位から立ち上がりブラのカップ部位に対応する第２カップ対応保形曲面形成部位とを備え、
前記第１ブラジャー保形器と前記第２ブラジャー保形器はブラを挟み込む
ブラジャー保形器対。
【請求項１１】
前記第１カップ対応保形曲面形成部位の有効曲率半径は前記第２カップ対応保形曲面形成部位の有効曲率半径より前記ブラのカップ部位の厚みの程度に大きい
請求項１０のブラジャー保形器対。
【発明の詳細な説明】
【０００１】
【発明の属する技術分野】
本発明は、ブラジャー保形器、ブラジャー保形器対に関し、特に、洗濯により保形性の喪失を抑制することができるブラジャー保形器、ブラジャー保形器対に関する。
【０００２】
【従来の技術】
衣類は、通常、使い捨てにされず繰り返し使用される。その繰り返し使用のために、洗濯機が用いられる。衣類は、肌に直接に触れ柔らかいシャツ、パンツ、靴下のような保温類と、保温類の表面側に重ねられスーツ、ドレスのような身体を飾る外粧類とがある。身体に直接に触れる保温類は、洗濯機に無造作に放り込まれて毎日のように高頻度で洗濯される。その保形の必要性がある外粧類は、洗濯機に無造作に放り込まれて湿式に洗濯されることはなく、ドライクリーニングのように乾式に優しく低頻度で洗濯される。
【０００３】
直接に身体に触れるブラジャーは、高頻度洗浄性が求められるが、その保形性が重要であり、その無造作な洗濯・洗浄が嫌われている。アンケート調査によれば、激しい洗濯が特に嫌われる高級品は優しく手揉みで洗浄されることが多いが、手揉みによる繊維の荒れを有効に回避することは困難である。ブラジャーは、皮膚に直接に触れる下着であるが、保形性が要求されるため、皮膚に直接に触れる柔らかい生地の柔層と、皮膚に直接に触れずその柔層に保形性を与える硬層とで形成されている。このような手揉みされるブラジャーは、硬層の変形応力が柔層の生地を傷める原因になっている。洗濯の後の脱水機による遠心力は、硬層を変形させ、脱水の後の乾燥はその変形を固形化して保持する。
【０００４】
洗濯回数を増加させることは、ブラの買い求め回数を減らして節約するためだけではない。多様に無数的に市場に提供されているブラジャーのなかから商品カタログを見て最善であると思って買い求めた多くの商品のうちで、満足することができるものは非常に少ない。流行が激しい商品分野では満足できた商品と同じものを買い求めることは非常に困難である場合が多い。満足できたものを使い続けるためには、何度も洗濯して使う回数を多くすることは生活の知恵である。
【０００５】
胸の形を矯正して保持するためにある程度に必要である保形力が与えられているブラジャーは、他の下着と異なり、その洗濯・洗浄には高度な配慮が要求される。保形力は、適正に弾性が与えられた環状の金属ワイヤで保証されている。生地を傷めない観点でブラジャーを洗濯時の渦流から保護する洗濯ネットは、特開平６−３１２０８４号、又は、実用新案登録第３０４９８６６で知られていて有名である。このような洗濯ネットは袋である。ブラジャーを洗濯時に保護するための袋の考えは、特開平１１−７０２９１号で知られている。
【０００６】
このような袋状のネットは、２つの椀状曲面形成部分を持っている。２つの椀状曲面形成部分は、それぞれに、１体のブラジャの１対２つのカップに対応していて、洗濯中のブラジャーのカップの保形性をある程度には保証している。格子状に組まれ編まれたネットにある程度の剛性が与えられていれば、任意の曲面に変形するネットの優柔不断性はある程度に失われるが、脱水機の中で高遠心力を受ければ、その球面形状に係わらず、その保形成を維持することは困難である。ブラジャーは、生産後の流通過程と、店頭販売過程と、商品配送過程と、選択洗浄過程と、乾燥過程と、保管過程の全過程でその保形性と美形性と柔軟性とが保持されることが求められる。
【０００７】
【発明が解決しようとする課題】
本発明の課題は、保形性を長期に保持することができるブラジャー保形器、ブラジャー保形器対を提供することにある。
本発明の他の課題は、洗浄過程以外の過程で保形性を保持することができるブラジャー保形器、ブラジャー保形器対を提供することにある。
【０００８】
【課題を解決するための手段】
その課題を解決するための手段が、下記のように表現される。その表現中に現れる技術的事項には、括弧（）つきで、番号、記号等が添記されている。その番号、記号等は、本発明の実施の複数の形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【０００９】
本発明によるブラジャー保形器は、保形基底部位（２）と、保形基底部位（２）から立ち上がりブラのカップ部位（２２）に対応するカップ対応保形曲面形成部位（３）とから構成されている。カップ対応保形曲面形成部位（３）は、剛体ではなく弾力性があり、ある程度の変形性は有しているが、変形しながら保形基底部位（２）により保形性を持続的に有し、ブラ特にブラのカップ部位（２２）の保形性を維持することができる。カップ対応保形曲面形成部位（３）は、ブラの裏面側に密着的に接合する。このような接合の状態で、保形性の維持は、本来の性質の維持にとどまらず、繊維の乱れ、縫い目の荒れを防止することができる。ブラは、洗濯時だけでなく、生産時から廃棄時までの全期間でその保形性を保持することができる。
【００１０】
保形基底部位（２）は、カップ対応保形曲面形成部位（３）に一体に成形されているこことが、その形状の安定化のために特に重要である。保形基底部位（２）は、カップ対応保形曲面形成部位の外側縁に一体に形成されていることは、その強度の強化のために有効である。
【００１１】
カップ対応保形曲面形成部位（３）には、多数の水流通口が形成されていて、洗濯時の水の流通を促進する。
【００１２】
カップ対応保形曲面形成部位（３）は、両側のトップが向き合う方向に延びる第１帯状部分（４）と、第１帯状部分（４）と保形基底部位（２）の上側部位との間を結合する第２帯状部分（５）とから形成され、第１帯状部分（４）と保形基底部位（２）との間は隙間であり、且つ、第２帯状部分（５）と保形基底部位（２）との間は隙間である。このような隙間は、一定の強度を保持しながら、水の流通と空気の流通と軽量化とを促進し、更に、弾性変形を適正程度に促進する。
【００１３】
重ね合わせられて使用され得ることは、流通過程、保存過程で極めて好都合である。保形基底部位（２）が輪として閉じられていることは、構造強化の点で有効であるが、重ね合わせのためには部分的にカットされる。０．３ｍｍ以下の厚みで薄膜化されて一体成形されることによりコストの上昇が抑制され、且つ、弾性変形を適正程度に許容することができる。
【００１４】
本発明による名称は、第１ブラジャー保形器（１）と第２ブラジャー保形器（１）との集合（セット）である。第１ブラジャー保形器は、第１保形基底部位（２）と、第１保形基底部位（２）から立ち上がりブラのカップ部位（２２）に対応する第１カップ対応保形曲面形成部位（３）とから構成されている。第２ブラジャー保形器は、第２保形基底部位（２）と、第２保形基底部位（２）から立ち上がりブラのカップ部位（２２）に対応する第２カップ対応保形曲面形成部位（３）とから構成されている。第１ブラジャー保形器（１）と第２ブラジャー保形器（１）はブラ（２２）を挟み込むことができる。
【００１５】
このような対は、ブラの保形性をより安定的に保持することができる。重なりを有効かするために、第１カップ対応保形曲面形成部位（３）の有効曲率半径は第２カップ対応保形曲面形成部位（３）の有効曲率半径よりブラのカップ部位（２２）の厚みの程度に大きいことが重要である。
【００１６】
【発明の実施の形態】
図に対応して、本発明によるブラジャー保形器は、保形基層がブラにあてがわれて用いられる。その保形基層１は、図１に示されるように、標準的ブラ（ＦｕｌｌＦｉｇｕｒｅ　Ｂｒａ　又は　３／４−Ｃｕｐ　Ｂｒａ）に対応する標準品として例示されている。図１は、保形基層１の半分を示している。保形基層１は、鏡面対称面Ｓに対して鏡面対称に形成されている。
【００１７】
保形基層１は、保形基底部位２と、ブラのカップ部位に対応するカップ対応保形曲面形成部位３とを形成している。保形基底部位２とカップ対応保形曲面形成部位３は、ともに厚さが０．１ｍｍ〜０．３ｍｍである樹脂製薄膜に成形されている。カップ対応保形曲面形成部位３は、一体性形技術により保形基底部位２に一体化されて成形されている。そのような一体成形技術として、射出成形技術又はブロワー成形技術が利用され得る。以下、説明の便宜のために、保形基底部位２とカップ対応保形曲面形成部位３とは異材質射出一体成形技術により成形されていると仮定される。
【００１８】
カップ対応保形曲面形成部位３は、部分球面状又は疑似部分球面状の第１帯状部位４と、部分球面状又は疑似部分球面状の第２帯状部位５と第１接合部位６と、第２接合部位７と、第３接合部位８とから構成されている。第２帯状部位５は、第１帯状部位４に一体に成形されて第１帯状部位４に結合している。身につけたブラの上側方向Ｕに位置する目で見る方向に対応する下側方向にカップ対応保形曲面形成部位３を見た場合、カップ対応保形曲面形成部位３の第１帯状部位４の手前側端縁線（上側端縁線）９は、前方方向（身体の胸部のトップの位置で法線方向）に凸状に（半円形状に又は半楕円形状に）滑らかに膨らんでいる。カップ対応保形曲面形成部位３の第２帯状部位５の両側端縁線１１は、上下方向に（Ｄ−Ｕ方向に）直交する水平方向に（左右方向Ｌ−Ｒ方向に）カップ対応保形曲面形成部位３を見た場合に、４分円形状に凸状に滑らかに膨らんでいる。
【００１９】
第１接合部位６は、第１帯状部位４より内側（胸の谷部の側）に位置している。第１接合部位６は、第１帯状部位４の第１湾曲端縁１２で第１帯状部位４に一体に接続している。第２接合部位７は、第１帯状部位４より外側に位置している。第２接合部位７は、第１帯状部位４の第２湾曲端縁１３で第１帯状部位４に一体に接続している。第３接合部位８は、第１帯状部位４より下側に（Ｄ側に）位置している。第３接合部位８は、第２帯状部位５の第３湾曲端縁１４で第１帯状部位４に一体に接続している。保形基層１のトップ点又はトップ領域１５は、第１帯状部位４に形成されている。ブラが保形基層１に装着される際には、ブラのトップは、トップ領域１５に位置対応し、特には、ブラの裏面側のトップは、トップ領域１５に一致して重合する。既述の通り、第１帯状部位４に一体である第１接合部位６と、第２接合部位７と、第２帯状部位５に一体である第３接合部位８とは、保形基底部位２に一体である。
【００２０】
保形基底部位２は、閉じた輪として形成されている。保形基底部位２の帯形状は、概楕円的形状リングとして形成されている。保形基底部位２は、内側閉輪部位（ブラのセンタコア対応部位）１６と、外側閉輪部位１７と、上側閉輪部位１８と、下側閉輪部位１９とから構成される一体成形体である。第１接合部位６は内側閉輪部位１６に一体であり、又は、第１接合部位６は内側閉輪部位１６の一部分である。第２接合部位７は外側閉輪部位１７に一体であり、又は、第２接合部位７は外側閉輪部位１７の一部分である。上側閉輪部位１８は、第１接合部位６に一体であり、又は、上側閉輪部位１８は内側閉輪部位１６の一部分である。第３接合部位８は下側閉輪部位１９に一体であり、又は、第３接合部位８は下側閉輪部位１９の一部分である。
【００２１】
保形基底部位２は、自然状態で平面化する弾性的復元性を有し、ブラ又はブラの保形用金属線に対して硬度（例示：ビッカース硬度）が高い。保形基層１は、その表裏面の裏返しの繰り返しが可能である程度に、弾性的であり、且つ、柔軟であり、復元性能が優れた材料（例示：ＰＰ）が用いられている。第１帯状部位４は、レース生地に似るように、花柄抜き模様に形状化されることが可能である。このように形状化される保形基層１は、これに販売用又は見本用のブラが装着された販売状態又は展示状態で用いられる。保形基底部位２には、材料節約と、軽量化と、弾性的変形容易化のために、随所に穴２１が開けられている。保形基層１は、ブラの多様なサイズに対応して、その外径サイズ、第１帯状部位４と第２帯状部位５の湾曲率が多様に変更されて、それぞれに大量に既述の成形技術により生産される。
【００２２】
図２は、標準品のブラのカップ部位２２と保形基層１との装着関係を示している。ブラ２２は、３層構造を有し、内側層２３と中間層２４と外側層２５とから構成されている。内側層２３は、肌に触れて柔らかい感触を与えその肌を傷めることがない肌直接接触層である。中間層２４は、保形性を持つように厚めに作られているが厚み方向に柔軟に膨張的に復元し圧力が作用する場合に弾性的に収縮する柔軟層である。外側層２５は、多様な花柄織り模様、花柄抜き模様が装飾的に表現されている布地、レース編み地で形状化されている。カップ部位２２の硬度は、保形基層１の硬度に比べて非常に低い。保形基層１は適度の剛性を有するが、カップ部位２２の剛性は実質的にない。カップ部位２２には、カップ部位２２の肌接触部位である半円形状局所領域に半円形の保形性を与えるに剛性付与針金２６が埋め込まれている。
【００２３】
洗浄過程では、１つのブラに対して、２つの保形基層１が用いられることが好ましい。２つの保形基層１は、位相幾何学的に互いに同形であるが、一方の保形基層１のカップ対応保形曲面形成部位３が形成する内面の曲率半径は、他方の保形基層１のカップ対応保形曲面形成部位３が形成する内面の曲率半径より僅かに大きい。このような２つの保形基層１は、ブラ２２を両側から密着的に挟み込むことができる。２つの保形基層１の曲率半径の差は、ブラ２２の最大厚みの程度であることが好ましい。２つの保形基層１の結合を強化するための嵌合用凹凸が、２つの保形基層１の対応位置に形成されることが好ましい。
【００２４】
保形基層１のカップ対応保形曲面形成部位３には、保形性能を失うことがない程度に多くの小径穴が開けられていることが重要である。その布地の表裏面間にカップ対応保形曲面形成部位３に開けられている多孔状流通穴を通る水は、洗濯機の中で保形基層１が装着されたブラのカップ部位を通り抜ける。遠心分離脱水の際には、遠心力を受けて繊維層から抜け出す水は、その多孔状流通穴を通されて遠心的に分離される。
【００２５】
脱水後に天日干しをする間に水蒸発に伴うブラの繊維の収縮力は、保形基層１から抵抗を受ける。天日干しの間のブラの収縮による皺の生成は、保形基層１の保形性能に助けられて有効に抑止される。ブラとその表裏面側で挟み込む保形基層１とを一体化したままで、汚れが特に目立つ局所的部位を手揉みにより洗濯し又は洗浄することは、保形性をほぼ完全に維持することができる点で効果的である。
【００２６】
保形基層１は、店頭販売の際に用いることができる。販売されたブラは、保形基層１と一体に持ち運びされる。多くの保形基層１は重ね合わせられて生産工場から店頭まで移送される。保形基層１はこれの生産工場からブラメーカに移送され、ブラメーカは１つのブラに１つ又は２つの保形基層１を装着して、店頭まで移送することができる。洗濯・乾燥の後には、保形基層１を装着したままでブラをタンスに保管することができる。
【００２７】
このように、本発明によるブラジャー保形器又はブラジャー保形器対は、流通過程、店頭販売過程、商品配送過程、選択洗浄過程、乾燥過程、保管過程の全ての過程、又は、それらの過程の任意の過程で、ブラの保形性を持続させることができる。
【００２８】
上側閉輪部位１８が省略された保形基層１は、その多数が重ねられ得る。センタコア部分で分割される分割型のブラのためには、図１に示される片側のみが用いられる。保形基層１とブラの一体物は、公知のネット袋の中に挿入され、その袋が洗濯機の回転槽の中に無造作に放り込まれる。水流特に渦流により３次元的に捻られるブラは、保形基層１と同体に捻られる。その捻り力は、剛性を持つ保形基層１から抵抗を受ける。保形基層１は、適正な剛性の他に適正な復元力を有し、捻り力に基づく変形力の増大を回転槽の中で抑制することができる。
【００２９】
保形基底部位２の外側領域の半円周部分に、ブラ２２のワイヤ２６を挟み込むワイヤ挟込み部位２７を形成することは好ましい。ワイヤ挟込み部位２７は、図３に示されるように、保形基底部位２に開けた小径穴２８に無理強い的に通し込まれる圧入体である球状部分２９と、ワイヤ２６を保形基底部位２との間に挟み込む押さえ部分３１とから構成されている。ワイヤ挟込み部位２７が保形基底部位２に一体成形により結合するヒンジ式の結合部位３２を持つことは好ましい。
ワイヤ挟込み部位２７の先端自由部位３３が先鋭に硬質に作られ、その先端自由部位３３がカップ部位２２を貫通的に突き刺さるように針状に形状化されることは好ましい。
【００３０】
図４は、既述の保形基層１の強化構造を示している。３／４カップのブラでは、左右の上方から斜め中央方向に端縁線が食い込むように延ばされている。このようなブラのカップ部分は、４分球の一部が斜めにカットされていて、半球よりも小さく形成されている。保形基層１は、そのようなブラの形状に対応して４分球又は４分球より小さい部分球に形成されることが望ましい。このような事情又はその他の諸般の事情に基づいて、構造強化が望まれる。
【００３１】
第１帯状部位４は、内側で中央側より幅広に形成されている。第１帯状部位４は、外側で中央側より幅狭に形成されている。保形基層１は中央線（対称性基準面Ｓと保形基層１との交叉線）で柔軟に且つ弾力的に折れ曲がることが望ましい。そのような曲がりが洗濯中に生じる際に、その曲がりに基づく内部応力がカップ部位に対応する第１帯状部位４に伝達される。第１帯状部位４の幅の既述の調整は、そのような応力により第１帯状部位４に曲がり変形と捻れ変形が起きやすくなることを防止することができる。
【００３２】
第１帯状部位４には、多くの小径孔が形成されている。小径孔に代えられて、既述のレース生地状の模様形状抜きが形成される。
【００３３】
ブラは、型成形により製作されず、布の縫製により製作されている。このため、横二枚ハギ、縦二枚ハギ、三枚ハギのような縫製が知られ、同じ型式と品番の商品で微妙に異なる形態で市場に供給されている。ブラを保形器に装着する際に、ブラと保形器の間に微妙なずれが生じて、ブラと保形器の密着性が悪く、ブラと保形器が洗濯時に剥がれる恐れがある。ブラと保形器の密着的結合を良好にするために、ピンの使用が考えられ、ブラを保形器に強制的に結合する結合部位を保形器と一体に追加することが望ましい。２つの保形器を互いに結合する嵌め込み合い部分を２つの保形器に形成することは合理的である。ブラに形状的に個別に適合する保形器をそのブラと一体化して販売することにより、ブラと保形器の形状的マッチングが確実になる。フルカップ、３／４カップ、デミカップにそれぞれに対応する形状の保形器をセットとして販売することは、消費者にとり好都合である。
【００３４】
保形器は、硬さと伸縮性を兼ね備える材料、特に、エラストマー、各種エンジニアリングプラスティックス、それらの重合、それらの多層化成形により生産されることが好ましい。
【００３５】
洗濯機で洗濯されるブラは、１の保形器で保形され、又は、２つの保形器で挟まれた状態で洗濯槽の中に挿入される。このような洗濯を実行する場合には、その保形器を公知のネットの中に包んで洗濯槽の中に挿入することが好ましく、又は、保形器を弾力的部材で包んで洗濯層の中に投入することが好ましい。
【００３６】
【発明の効果】
本発明によるブラジャー保形器、ブラジャー保形器対は、保形性を長期に保持することができる。
【図面の簡単な説明】
【図１】図１は、本発明によるブラジャー保形器の実施の形態を示す斜軸投影図である。
【図２】図２は、図１のＩＩ−ＩＩ線断面図である。
【図３】図３は、図１の一部分の変形を示す断面図である。
【図４】図４は、図１の平面図である。
【符号の説明】
１…第１ブラジャー保形器（第２ブラジャー保形器）
２…保形基底部位
３…カップ対応保形曲面形成部位
４…第１帯状部分
５…第２帯状部分
【図１】
2004060100.tif 000003
【図２】
2004060100.tif 000004
【図３】
2004060100.tif 000005
【図４】
2004060100.tif 000006